(57)【要約】【課題】  照明灯の端子とソケットに設けられる給電部との電気的接続を確実に、且つ、安全に行うことができると共に、照明灯の取付作業の簡素化を図ることができるショーケースを提供する。【解決手段】  本発明のショーケース１は、照明灯１４を本体の電源に接続本体側ソケット部材２３と照明灯側ソケット部材２４とから構成されるソケット２２を備え、本体側ソケット部材は、給電接片３５を内蔵する接続部２９を備え、照明灯側ソケット部材２４は、照明灯１４の端部に装着される装着部５５と、収容部５６とを備え、装着部５５が照明灯１４の端部に装着された状態で、端子１４Ａは収容部５６内に臨み、接続部２９が収容部５６内に収容された状態で、端子１４Ａは給電接片３５に電気的に接続されると共に、収納部５６に形成される押圧部６１により、給電接片３５を端子１４Ａ側に付勢する。【選択図】図６
2011172936.tif 000002
【特許請求の範囲】
【請求項１】
端部に端子を有する照明灯を設けて成るショーケースにおいて、
前記照明灯を本体の電源に接続するためのソケットを備え、
該ソケットは、前記本体側に固定されて内部に給電部を有する本体側ソケット部材と、前記照明灯に装着されて前記本体側ソケット部材に着脱自在に取り付けられる照明灯側ソケット部材とから成り、
前記照明灯に装着された前記照明灯側ソケット部材が前記本体側ソケット部材に取り付けられた状態で、前記照明灯の端子は前記本体側ソケット部材の給電部に直接、若しくは、導電部材を介して電気的に接続されると共に、
前記本体側ソケット部材は、内部にコンデンサを収容するコンデンサ収容部を有することを特徴とするショーケース。
【発明の詳細な説明】
【技術分野】
【０００１】
本発明は、陳列室内やショーケース前方を照明するために設けられる照明灯、特に、端部に端子を有する照明灯を設けて成るショーケースに関するものである。
【背景技術】
【０００２】
従来よりスーパーマーケットやコンビニエンスストアなどに設置されるショーケースは、本体内に形成される陳列室内に当該陳列室内やショーケース前方等を照明するための照明灯が取り付けられている。照明灯は、陳列室の天井面前部に位置するキャノピー下面や、棚が複数段架設されている場合には、当該棚下面前部に位置して取り付けられている。照明灯としては一般に蛍光灯などが用いられるため、経年劣化に伴い交換作業が必要とされる。
【０００３】
陳列室内に取り付けられる各照明灯は、機械室内に設置した電源に接続された給電線が接続されている（特許文献１参照）。照明灯は、陳列室の前部に取り付けられているため、給電線は、当該照明灯の位置にまで引き出されて配線されており、いずれも棚の下面や天井面に沿って固定されている。図５７及び図５８に示されるように、給電線２０１の端部にはソケット２０２が取り付けられており、照明灯２０３の端部に設けられる端子２０４を当該ソケット２０２に装着することで、照明灯２０３と給電線２０１とが電気的に接続され、給電線２０１を介して電源２０５に電気的に接続される。
【０００４】
この場合において、給電線が接続されたソケットへの照明灯の脱着の作業性を考慮して、給電線に所定の弛みを保たせた状態でソケット近傍の給電線が照明灯の取付箇所の近傍に固定されている。そのため、照明灯が取り付けられた状態では、給電線が棚下や天井面から下側に弛むことで、陳列室の前面に給電線が露出し、外観上好ましくないという問題があった。
【０００５】
また、ソケットを介して給電線に電気的に接続された照明灯は、棚下面や陳列室天井面に固定されたクリップなど挟持させることで、固定されていた。特に、ショーケース内を冷却して用いる低温ショーケースなどにおいては、蛍光灯等の照明灯の温度依存性により照度が低下することを抑制するため、照明灯には保温筒が取り付けられる。そのため、ショーケースの左右に渡って長く取り付けられる照明灯は、交換作業時において、長手方向に対し複数取り付けられるクリップから脱着する作業や各ソケットへの脱着作業が伴うため、作業が煩雑となる問題があった。
【０００６】
そこで、上述した如き照明灯の交換作業を簡素化及び給電線の露出防止を図るため、特許文献２に示されるような蛍光灯の取付装置が開発されている。この蛍光灯の取付装置は、棚の下面に固定されるソケット本体と、当該ソケット本体に装着固定される蛍光灯ホルダーとから構成される。蛍光灯ホルダーは、受電用端子ピンが設けられる蛍光灯の両端に装着され、当該蛍光灯ホルダーをソケット本体に装着することで、給電線が棚下面から弛んだ状態で露出することなく、且つ、蛍光灯ホルダーとソケット本体との係合のみで棚下面に蛍光灯を取り付けられる。
【特許文献１】特開平７−１４３９２８号公報
【特許文献２】実開平５−６９８９２号公報
【発明の開示】
【発明が解決しようとする課題】
【０００７】
しかしながら、上述した如き特許文献２におけるソケット構成では、受電用端子ピンは、給電接片自身が有する弾性力によって接触することにより、これらは電気的に接続されるものであった。そのため、受電用端子ピンの挿脱が繰り返し行われることによって、給電接片自身の弾性力が弱まり、受電用端子ピンと給電接片との接触不良が発生する問題があった。このような接触不良は、蛍光灯の点灯が確実に行われないという不都合を招来し、場合によっては、受電用端子ピンが異常な温度にまで上昇し、当該端子ピンやソケットが焼損する恐れがあった。
【０００８】
更には、従来のソケット構造では、ソケットを構成する蛍光灯ホルダーとソケット本体は、蛍光灯ホルダーの端面の外面側に形成された両側の結合用弾性片をソケット本体に形成された係合片の係止溝に係合することで係脱自在に係合されていた。そして、蛍光灯自体を下側に引き抜くことで、係る係合を離脱させていた。そのため、蛍光灯ホルダーとソケット本体とは、下に力を加えることによって離脱されるものであるため、繰り返し取付作業が行われることで、これらの係合力が弱まり、蛍光灯の自重が影響することと相まって、ソケットに取り付けられた蛍光灯が蛍光灯ホルダーと共に脱落してしまう恐れがある。
【０００９】
そこで、これらの係合機構を確実なものとするため、互いに形成される係合部材を嵌合する機構とし、これを離脱する際には、内側に位置する係合部材を内側に押圧することで係合を開放することが考えられる。しかしながら、このような構成では、係合を離脱するのに大きな力を内側に位置する係合部材に伝えなければならず、作業が煩雑となる問題があった。
【００１０】
また、棚下面や陳列室の天井面などに取り付けられる蛍光灯は、図５７及び図５８に示されるようにショーケース本体に設けられる電源２０５にコンデンサ２０６が接続された給電線２０１を介して電気的に接続される。上述した如き蛍光灯のソケットの構成では、蛍光灯の受電用端子ピンと給電接片との電気的な接続は可能となるが、コンデンサ２０６は、ショーケースのいずれかの場所に取り付けられ、給電接片に接続された給電線に別途接続されていた。そのため、配線が複雑となり、配線をまとめる作業が煩雑であった。
【００１１】
他方、上述した如き従来技術における蛍光灯ホルダーは、蛍光灯の熱が陳列室内に漏出する不都合を抑制するため、また、当該蛍光灯の照度が陳列室内の温度によって低下してしまう不都合を抑制するために取り付けられる保温用の蛍光灯カバーが取り付けられる支持部材としての役割を果たしている。しかしながら、当該蛍光灯ホルダーに形成される蛍光灯カバーの支持部材は、当該蛍光灯ホルダーの円筒壁を蛍光灯カバー内に挿入することで構成されているものであったため、容易に蛍光灯ホルダーから蛍光灯カバーが脱落してしまい、当該照明灯の交換作業が煩雑となる問題があった。
【００１２】
更にまた、当該照明灯が取り付けられるショーケースが低温ショーケースとして用いられる場合には、照明灯自体や照明灯の周囲を囲繞する蛍光灯カバーには、結露が発生するため、当該結露水が照明灯の電気的接続部分に侵入し、ショート等が発生する恐れがある。
【００１３】
そこで、本発明は従来の技術的課題を解決するためになされたものであり、照明灯の端子とソケットに設けられる給電部との電気的接続を確実に、且つ、安全に行うことができると共に、照明灯の取付作業の簡素化を図ることができるショーケースを提供する。
【課題を解決するための手段】
【００１４】
本発明のショーケースは、端部に端子を有する照明灯を設けて成るものであって、照明灯を本体の電源に接続するためのソケットを備え、該ソケットは、本体側に固定されて内部に給電部を有する本体側ソケット部材と、照明灯に装着されて本体側ソケット部材に着脱自在に取り付けられる照明灯側ソケット部材とから成り、照明灯に装着された照明灯側ソケット部材が本体側ソケット部材に取り付けられた状態で、照明灯の端子は本体側ソケット部材の給電部に直接、若しくは、導電部材を介して電気的に接続されると共に、本体側ソケット部材は、内部にコンデンサを収容するコンデンサ収容部を有することを特徴とする。
【発明の効果】
【００１５】
本発明のショーケースによれば、端部に端子を有する照明灯を設けて成るショーケースにおいて、照明灯を本体の電源に接続するためのソケットを備え、該ソケットは、本体側に固定されて内部に給電部を有する本体側ソケット部材と、照明灯に装着されて本体側ソケット部材に着脱自在に取り付けられる照明灯側ソケット部材とから成り、照明灯に装着された照明灯側ソケット部材が本体側ソケット部材に取り付けられた状態で、照明灯の端子は本体側ソケット部材の給電部に直接、若しくは、導電部材を介して電気的に接続されると共に、本体側ソケット部材は、内部にコンデンサを収容するコンデンサ収容部を有するので、ソケット内にコンデンサを収容することが可能となり、照明灯とは給電線を介して配線接続されるコンデンサを別途ショーケース内に取り付ける必要がなくなる。
【００１６】
そのため、給電線の配線処理の簡素化を図ることができるようになる。また、部品点数の削減を図ることができると共に、組立作業の簡素化を図ることが可能となる。
【発明を実施するための最良の形態】
【００１７】
以下、本発明を適用した実施形態について、実施例１乃至実施例４を参照して説明する。
【実施例１】
【００１８】
先ずはじめに、実施例１のショーケースについて図面を参照して説明する。図１は本発明のショーケースの実施例としての低温ショーケース１の斜視図、図２は低温ショーケース１の概略縦断側面図、図３は棚８下面の斜視図、図４は棚８下面の部分斜視図を示している。各図において、低温ショーケース１はスーパーマーケットやコンビニエンスストアなどの店舗内に設置されるものであり、断面略コ字状の断熱壁２の両側に側板３、３を取り付けて本体４が構成される。この断熱壁２の内側には間隔を存して仕切板６及び底板７が取り付けられ、これらの内側に前面に開口した陳列室５が構成されると共に、これらと断熱壁２との間に一連のダクト９が構成されている。
【００１９】
そして、このダクト９は陳列室５の開口上縁にて開口する吐出口１０と、開口下縁にて開口する吸込口１１に連通すると共に、背面のダクト９には冷却装置Ｒに含まれる冷却器１２が縦設され、底板７下方のダクト９内には送風機１３が設置される。
【００２０】
陳列室５内には、上下に渡って複数段の棚８・・が架設される。この棚８は、左右に取り付けられるブラケット６５、６５により、陳列室５内に設けられる支柱６４に保持される。この棚８は、下面に補強板３２が左右側端と所定間隔を存して左右に渡って取り付けられており、本実施例では、棚下前部と、棚下後部の２つ設けられている。係る補強板３２は、図４に示されるように、上辺が下辺よりも長い断面略台形状に形成されており、本実施例では、下面は当該棚８の前端に取り付けられるプライスレール８Ａの下端位置と略面一であるものとする。また、この補強板３２の後上端は、外方に向けて折曲して固定面が形成されており、棚８下面にスポット溶接により固定される。
【００２１】
更に、この棚８の下面には、補強板３２の前側に位置して左右に渡って下方に延出して形成される取付片５０が形成されている。この取付片５０は、所定角度で前下方に傾斜して形成されていると共に、図２５に示されるように所定間隔を存して複数の切欠５０Ａが形成されている。尚、本実施例において、左右両側端には当該取付片５０が形成されておらず、当該取付片５０と同様の位置に当該棚８を構成する棚板の一部を前記取付片５０と同様の角度で下方に切り起こして端部取付片６７が形成されている。
【００２２】
そして、当該棚８の下面には、詳細は後述する如くソケット２２を介して下側に架設される棚８上の商品や、陳列室５前方を照明するための照明灯１４が着脱自在に取り付けられている。
【００２３】
また、断熱壁２の前面開口の上縁には、吐出口１０の前側に位置してキャノピー１５が設けられ、当該キャノピー１５の下部には、陳列室８内や陳列室８周辺を上部から照明するための照明灯１６が以下、詳述する各実施例におけるソケット２２等を介して着脱自在に取り付けられている。尚、当該照明灯１４、１６は、端部に受電用の端子を備え、給電部からの給電により点灯可能とするものであり、例えば、蛍光灯、ＬＥＤなどであるものとする。
【００２４】
一方、断熱壁２の下方には、機械室１７が形成されており、当該機械室１７内には、ユニットベース１８が設けられると共に、当該ユニットベース１８上には、上記冷却装置Ｒに含まれる圧縮機１９、凝縮器２０及び凝縮器用送風機２１が設置され、機械室１７内に配設される。
【００２５】
以上の構成により、前記送風機１３が運転されると冷却器１２と熱交換した冷気はダクト９内を上昇せられ、前記吐出口１０より陳列室５内に吐出される。そして、前記吸込口１１から吸い込まれた冷気は再び送風機１３によって加速され、陳列室５内に冷気が循環されて陳列室５内は所定の温度に冷却される。
【００２６】
次に、図５乃至図２５を参照して本発明のショーケース１の照明灯１４のソケット２２の構造について説明する。図５は陳列室５の一側に取り付けられるソケット２２の側面図、図６は図５のソケット２２の部分透視断面図、図７は本体側ソケット部材２３の斜視図、図８は本体側ソケット部材２３の側面図、図９は本体側ソケット部材２３の筐体２５の側面図、図１０は本体側ソケット部材２３の蓋部材２６の側面図、図１１は図８を下側からみた平面図、図１２は本体側ソケット部材２３の正面図、図１３は図１１に給電線３６が取り付けられた状態を示した図、図１４は照明灯側ソケット部材２４の斜視図、図１５は照明灯側ソケット部材２４の側面図、図１６は図１５を右からみた図、図１７は図１５を裏側からみた図、図１８は図１５を下からみた図、図１９はカバー部の拡大断面図、図２０はソケット２２に給電線３６及び照明灯１４を取り付ける状態を説明する概略図、図２１は電気配線図、図２２はソケット２２が棚８下面に取り付けられる状態を下方からみた一部切欠斜視図、図２３はソケット２２が棚８下面に取り付けられた状態を示す下方からみた拡大斜視図、図２４は図２３の部分縦断側面図、図２５はソケット２２が棚８端部に取り付けられた状態を示す下方から見た拡大斜視図を示している。
【００２７】
本実施例におけるソケット２２は、端部に受電用の端子１４Ａを有する照明灯１４を係脱自在にショーケース１の本体側、本実施例では、棚８下面に固定するものである。ソケット２２は、本体側ソケット部材２３と、照明灯側ソケット部材２４とから構成される。
【００２８】
本体側ソケット部材２３は、内方に向けて開放する筐体２５と、当該筐体２５の開口を閉塞する蓋部材２６とから構成される。筐体２５は、棚８下面に当接して取り付けられる本体側取付面２８と、当該本体側取付面２８から下方に突出して形成される接続部２９と、当該本体側取付面２８の後端に形成されるコンデンサ収容部３０とが硬質合成樹脂にて一体に成形されている。接続部２９とコンデンサ収容部３０は、連通して形成されていると共に、いずれも陳列室５内方に向けて開口する。
【００２９】
そして、照明灯１４の両端に取り付けられるソケット２２の内の一方のソケット２２のコンデンサ収容部３０内にのみ、コンデンサ３４が収容される。
【００３０】
筐体２５に形成される接続部２９には、内部を上下に区画する仕切壁２９Ａが形成されており、当該仕切壁２９Ａを隔てて、垂下した状態で二つの給電接片（給電部）３５、３５が収容される。これら給電接片３５の上端には、それぞれ給電線３６が接続されている。図２１には、各給電接片３５の給電線３６の接続関係が示される。即ち、当該筐体２５にコンデンサ３４が収容されているソケット２２については、一方の給電線３６は、当該コンデンサ３４に接続される。他方の給電線３６は、蓋部材２６が取り付けられた状態で外部に引き出され、ショーケース１の機械室１７内に設けられる電源３７に接続される。また、筐体２５にコンデンサ３４が収容されていないソケット２２については、いずれの給電線３６も蓋部材２６が取り付けられた状態で外部に引き出された後、一方は、前記コンデンサ３４が収容されたソケット２２内のコンデンサ３４に接続され、他方の給電線３６は上記と同様に電源３７に接続される。
【００３１】
これにより、従来、ソケットとは別に陳列室内やショーケースの何れかの箇所に取り付けられていたコンデンサ３４をソケット２２内に収容することが可能となり、照明灯１４とは給電線３６を介して配線接続されるコンデンサ３４を別途ショーケース１内に取り付ける必要が無くなる。そのため、給電線３６の配線処理の簡素化を図ることができるようになると共に、部品点数の削減を図ることができ、組立作業性の向上を図ることが可能となる。
【００３２】
給電接片３５は、弾性材料にて構成されており、図６及び図９に示されるように接続部２９の中央に向けて湾曲し、両給電接片３５、３５が近接した後、接続部２９の側方、即ち、本体側ソケット部材２３の前側に収容される給電接片３５については前方（図６では左側）、後側に収容される給電接片３５については後方（図６では右側）に向けて折り返され、更に、接続部２９の内壁に向けて近接するように内壁側に張り出した形状とされている。
【００３３】
そして、この接続部２９の下面には、仕切壁２９Ａを隔てた状態で照明灯１４の受電用の端子１４Ａを下端から挿入するための挿入部３９が形成されている。そのため、接続部２９の下端に形成される挿入部３９から挿入される端子１４Ａは、給電接片３５が取り付けられる接続部２９内に進入可能となる。
【００３４】
また、この接続部２９の前後面には、図１２に示すように下端から所定高さ、具体的には、接続部２９内に収容される給電接片３５の折り返された端面が当該接続部２９の内壁に近接している高さにまで渡って、切欠２９Ｂ、２９Ｂが形成されている。
【００３５】
更に、この接続部２９の前後（図９では左右に図示される）には、垂下した後、下端が内方に向けて突出する係合爪（係合部）４０、４０が筐体２５と一体に形成されている。この係合爪４０、４０は、後述する照明灯側ソケット部材２４に形成される係合爪４１、４１と係脱可能に挿入するため、当該係合爪４０と接続部２９との間には、所定の空間が形成されているものとする。
【００３６】
一方、筐体２５の本体側取付面２８の前端には、棚８下面の取付片５０又は端部取付片６７に係脱自在に係止される取付面係合部３１が形成されている。この取付面係合部３１は、上述した如き取付片５０又は６７と略同一の角度にて傾斜すると共に、当該取付片５０又は６７に向けて開口して形成される。
【００３７】
また、筐体２５のコンデンサ収容部３０は、本体側取付面２８に対し、下後方に向けて傾斜して形成されている。そして、このコンデンサ収容部３０の後面は、棚８下面に形成される断面略台形状の補強板３２の前壁３２Ａに沿って取付可能とするため、所定角度だけ傾斜して形成される。補強板３２は、当該ソケット２２の取付位置に、図２２に示すように係合孔５１及びネジ孔５２が形成されている。他方、コンデンサ収容部３０の後面には、補強板３２の前壁３２Ａに向けて突出して形成される保持突起３３が形成されている。
【００３８】
尚、当該保持突起３３は、コンデンサ収容部３０の後面と略面一とされる切込３３Ａ（図２２のみ図示する）が外方から内方に向けて所定寸法だけ形成されており、補強板３２に形成された係合孔５１に挿入した後、当該ソケット２２を切込み方向、即ち、外方に向けて摺動させる。その後、後述する蓋部材２６に形成されるネジ孔４７と、当該補強板３２に形成されるネジ孔５２とを重合させ、ネジ５３にて螺合することで、ソケット２２を確実に補強板３２に固定することが可能となる。
【００３９】
また、コンデンサ収容部３０の前面は、前記接続部２９の後側に位置する係合爪４０の外方に（本実施例では後側に）連続して一体に形成されていると共に、当該係合爪４０と照明灯側ソケット部材２４の係合爪４１との係合に対し、鋭角を成すように傾斜しながら離間する傾斜面３０Ａとされている。これにより、当該傾斜面３０Ａと、照明灯側ソケット部材２４の係合爪４１との間には、手指を挿入可能とする手指挿入空間が形成される。
【００４０】
他方、蓋部材２６は、図１０に示されるように、筐体２５の接続部２９及びコンデンサ収容部３０の開口と外形が略同様に形成されている。筐体２５の接続部２９の蓋部分に相当する位置には、前記筐体２５に形成される挿入部３９及び仕切壁２９Ａに対応して端子挿入用の切欠４２が形成されている。更に、接続部２９の上部には、照明灯側ソケット部材２４の上縁に当接するフランジ４４が形成されている。
【００４１】
そして、蓋部材２６は、筐体２５の本体側取付面２８の後部に対応する位置に、給電線引出口２６Ａが形成されている。また、コンデンサ収容部３０の蓋部材に相当する位置には、図７に示されるように、コンデンサ収容部３０内に向けて開口する蓋側コンデンサ収容部４５が形成されると共に、当該蓋側コンデンサ収容部４５の後端には、筐体２５のコンデンサ収容部３０の後面と略面一とされる固定部４６が形成されている。この固定部４６には、上述した如く棚８下面に取り付けられる補強板３２と当接して、当該補強板３２に形成されるネジ孔５２と螺合するためのネジ孔４７及びアース用端子固定部４８（図１１及び図１２に示す）が形成されている。
【００４２】
そのため、上述した如き給電線３６と共に、電源３７から本体側ソケット部材２３に引き出されたアース用端子６９は、図１３及び図２０に示す如く安定してアース用端子固定部４８に固定される。これにより、アース用端子６９を安全、且つ、容易に本体側ソケット部材２３に固定することが可能となり、アース用端子６９の配線処理を簡素化することができる。
【００４３】
次に、図１４乃至図１９を参照して照明灯側ソケット部材２４について説明する。照明灯側ソケット部材２４は、上記本体側ソケット部材２３と同様に、硬質合成樹脂にて形成されており、照明灯１４の端部に装着される装着部５５と、当該装着部５５の外側に形成される収容部５６とから構成される。
【００４４】
装着部５５は、照明灯１４の端部を囲繞する有底円筒状のカバー部５７と、当該カバー部５７の内壁に内方に向けて突出して形成される複数の照明灯保持部５８とから構成されている。この照明灯保持部５８は、当該カバー部５７内に挿入される照明灯１４外周を略きっちりと保持可能とする。また、照明灯保持部５８は、陳列室５側、即ち、照明灯１４の挿入側端部は、外方に向けて拡開して形成されており、照明灯１４の端部を挿入しやすくなる。
【００４５】
尚、カバー部５７に形成される照明灯保持部５８は、上記形状に限定されるものではなく、例えば図２６に示されるようにカバー部５７を構成する円筒底面、即ち、カバー部５７の外端面には、内方、即ち、照明灯１４端部の挿入側に向けて突出して形成される複数（図２６では、４つ設けられている）の爪状の照明灯保持部６３により照明灯１４端部を挟持することで、保持しても良いものとする。このとき、爪状の照明灯保持部６３は、図２７に示されるように、カバー部５７の中程よりも更に照明灯１４側にまで突出して形成されていても良く、また、図２８に示されるように、構成上、照明灯１４の端部に予め形成される溝１４Ｂに係止する構成としても良いものとする。
【００４６】
いずれの構成によっても、各照明灯保持部６３により、当該カバー部５７内に挿入される照明灯１４外周を略きっちりと保持することが可能となる。
【００４７】
また、このカバー部５７の外周面には、図１６及び図１９に図示されるように照明灯１４の挿入方向と略平行に形成される複数の突条から成る保温筒保持部５９が形成されている（尚、図１８では図示していない）。保温筒４３は、照明灯１４の長手方向に渡って周囲を囲繞する硬質合成樹脂製の透明な円筒部材であり、照明灯１４と陳列室５内との熱切りの機能を有するものであり、照明灯１４の熱が陳列室５内の商品に悪影響を及ぼすのを防止すると共に、当該陳列室５内の冷気によって、照明灯１４自体が冷却され、照度が低下してしまうのを防止する。そのため、装着部５５のカバー部５７の外形寸法は、保温筒４３の内径寸法よりも小さく形成されているものとし、当該カバー部５７の外形寸法と、保温筒４３の内径寸法との差を保温筒保持部５９の突条によって埋め合わせることで、略きっちり保温筒４３を保持することが可能となる。
【００４８】
尚、カバー部５７の外周面に形成される保温筒保持部５９は、上記形状に限定されるものではなく、例えば、図２９に示されるようにカバー部５７の外周面に外方に突出して形成される複数の突起７０を形成し、他方、保温筒４３の端部にも当該突起７０と対応する位置に開口７１、７１を形成し、当該突起７０を保温筒４３に形成される開口７１に挿入することにより、保温筒４３を保持しても良いものとする。
【００４９】
そして、カバー部５７を構成する円筒底面、即ち、カバー部５７の外端面には、照明灯１４端部に設けられる受電用の端子１４Ａ、１４Ａを挿通可能とする端子挿通孔６０、６０が形成されている。この端子挿通孔６０は、中央部分を一方向だけかしめて形成することで他の方向よりも短く形成された長孔形状とされている。そのため、端子１４Ａが挿通された状態で、端子挿通孔６０の内縁は端子１４Ａに圧接される。これにより、一旦端子挿通孔６０に挿通された端子１４Ａが、容易には外れないものとなる。
【００５０】
尚、本実施例では、カバー部５７の外端面に形成される端子挿通孔６０は、長孔形状とされているが、これに限定されるものではなく、図３０に示すように、端子１４Ａの外形寸法に対し略きっちりと係合可能とする内径に形成された円形状の端子挿通孔７２であっても良いものとする。
【００５１】
他方、装着部５５の外側に形成される収容部５６は、上面が開口し、内部に本体側ソケット部材２３の接続部２９を挿脱自在に収容するための収容空間が形成されており、当該収容空間、即ち、収容部５６内は、前記カバー部５７の端子挿通孔５８を介して挿通された照明灯１４の端子１４Ａが進入される。
【００５２】
また、この収容部５６内の下角隅には、それぞれ内部上方に向けて突出して形成される押圧部６１、６１が収容部５６に一体に形成されている。更に、この収容部５６の下面には、複数、本実施例では、２つの水抜き孔６２、６２が形成されている。
【００５３】
収容部５６の前後（図１７では左右に図示される）には、収容部５６の下面から所定寸法だけ外方、即ち、それぞれ前後方向に延在した後、略直角に起立した状態とされる係合爪４１、４１が収容部５６と一体に形成される。この係合爪４１、４１は、それぞれ下端を中心として内方に押圧可能とする弾性材料にて構成されていると共に、上端が外方、即ち、前側に形成される係合爪４１は、前方に向けて、後側に形成される係合爪４１は、後方に向けて突出して形成されている。この係合爪４１、４１は、それぞれ上述した如き本体側ソケット部材２３に形成される係合爪４０、４０と係脱可能とされている。
【００５４】
次に、本実施例におけるソケット２２の取付方法及び当該ソケット２２による照明灯１４の取付方法について説明する。先ず初めに、ソケット２２を構成する本体側ソケット部材２３を棚８下面に固定する。
【００５５】
図３及び図２５に示すように、棚８下面の端部に本体側ソケット部材２３を取り付ける場合には、本体側ソケット部材２３のコンデンサ収容部３０の後面に形成された保持突起３３を棚８下面に設けられる補強板３２と棚側面を構成する棚側板６８との間に当該棚側板６８に沿って挿入し、取付面係合部３１を端部取付片６７に係止させる。その後、本体側ソケット部材２３の固定部４６に形成されるネジ孔４７を補強板３２に予め穿設されるネジ孔と重合させ、図示しないネジによって螺合する。
【００５６】
これにより、本体側ソケット部材２３は、筐体２５と蓋部材２６の二部品によって構成されているが、筐体２５は、取付面係合部３１が端部取付片６７に係止され、保持突起３３が補強板３２と棚側板６８との間に挿入されると共に、当該筐体２５をネジによって直接棚８下面に固定される蓋部材２６と、棚側板６８とにより狭持される。そのため、筐体２５に形成される係合爪４０、４０に下方に引っ張る力が加わった場合であっても、蓋部材２６と筐体２５とが分離し、ソケット２２に取り付けられる照明灯１４が落下する不都合を回避することができる。
【００５７】
また、ショーケース１の幅寸法に対し、定格とされる照明灯１４の長さ寸法が短い場合には、当該照明灯１４の長さ寸法に合わせてショーケース１に取り付けられることとなる。そのため、照明灯１４を取り付けるためのソケット２２は、棚８の端部ではなく当該端部よりも内側に位置してソケット２２を取り付けることとなる。
【００５８】
この場合には、図２２及び図２３に示されるように本体側ソケット部材２３の保持突起３３を補強板３２に予め穿設された係合孔５１に挿入し、取付面係合部３１を取付片５０に係止させる。その後、保持突起３３を係合孔５１に挿入したまま、本体側ソケット部材２３を外方に向けて摺動させ、当該保持突起３３に形成される切込３３Ａを係合孔５１の端面に係合させる。この状態で、本体側ソケット部材２３の固定部４６に形成されるネジ孔４７は、補強板３２に予め穿設されるネジ孔５２と重合し、ネジ５３によって螺合する。
【００５９】
これにより、筐体２５は、取付面係合部３１が取付片５０に係止され、保持突起３３が係合孔５１の端面に押し付けられた状態で、筐体２５の開口を閉塞する蓋部材２６が補強板３２に直接ネジ止めされる。この場合においても、筐体２５に形成される係合爪４０、４０に下方に引っ張る力が加わっても、蓋部材２６と筐体２５とが分離し、ソケット２２に取り付けられる照明灯１４が落下する不都合を回避することができる。
【００６０】
次に、ソケット２２を構成する本体側ソケット部材２３に照明灯１４及び照明灯側ソケット部材２４を取り付ける方法について説明する。先ず初めに、照明灯１４の両端に照明灯側ソケット部材２４を装着する。このとき、照明灯１４の受電用の端子１４Ａは、カバー部５７に形成される端子挿通孔６０、６０に挿通されると共に、当該端子１４Ａがカバー部５７の外方に形成される収容部５６内に臨んだ状態となる。
【００６１】
また、本実施例において、カバー部５７の内壁には、照明灯保持部５８が形成されていることから、当該カバー部５７内に照明灯１４が略きっちりと保持される。更に、照明灯１４に設けられる端子１４Ａは、端子挿通孔６０に挿通されることから、中央部がかしめられた形状とされる端子挿通孔６０によっても略きっちりと保持される。
【００６２】
これにより、照明灯１４の端部に照明灯側ソケット部材２４が装着された状態で、照明灯１４は、照明灯側ソケット部材２４に保持されていることから、取付作業において容易に照明灯側ソケット部材２４が照明灯１４から外れてしまう不都合を抑制することができる。
【００６３】
尚、一方の照明灯側ソケット部材２４が取り付けられた状態で、当該照明灯１４には、保温筒４３を取り付けても良いものとする。この場合には、保温筒４３の端部は、照明灯側ソケット部材２４のカバー部５７の外周面に形成される保温筒保持部５９によって、略きっちりと保持されることから、照明灯１４の交換作業時において保温筒４３が脱落する不都合を抑制することができ、容易に照明灯１４と共に保温筒４３を照明灯側ソケット部材２４に取り付けることが可能となる。
【００６４】
照明灯１４の両端に照明灯側ソケット部材２４が装着された状態で、各照明灯側ソケット部材２４を本体側ソケット部材２３に取り付ける。即ち、本体側ソケット部材２３の接続部２９を照明灯側ソケット部材２４の収容部５６の内部に挿入する。このとき、収容部５６内には、照明灯１４の受電用の端子１４Ａが臨んで取り付けられていることから、当該端子１４Ａは、接続部２９の下端に形成される挿入部３９から内方に進入し、当該接続部２９内部に収容される給電接片３５と接触する。
【００６５】
ここで、給電接片３５は、上述したように弾性部材によって接続部２９の中央に向けて湾曲し、両給電接片３５が近接した後、接続部２９の側方に向けて折り返された形状とされているため、当該給電接片３５の弾性力によって、挿入部３９から挿入された端子１４Ａに向けて付勢される。これにより、これら端子１４Ａと給電接片３５は、電気的に接続される。
【００６６】
特に、本実施例における照明灯側ソケット部材２４の収容部５６内には、下角隅部に押圧部６１、６１が形成されているため、当該押圧部６１、６１は、接続部２９の前後面に形成される切欠２９Ｂから接続部２９の内部に進入する。これによって、押圧部６１は、接続部２９内の給電接片３５、３５に接触した後、当該給電接片３５を内方に、即ち、端子１４Ａ側に付勢する。
【００６７】
これにより、給電接片３５、３５は、図６において点線の状態から実線の状態に変形され、確実に給電接片３５を端子１４Ａに接触させることができるようになる。そのため、従来の構造に比べて安定して給電接片３５と照明灯１４の端子１４Ａとの電気的接続を確実に行うことができるようになり、信頼性を向上することができる。
【００６８】
そのため、ソケット２２により棚８に取り付けられる照明灯１４の端子１４Ａが、照明灯１４の自重により本体側ソケット部材２３の接続部２９内に収容される給電接片３５から離間する方向に力が加わっても、照明灯側ソケット部材２４の収容部５６に形成される押圧部６１が確実に本体側ソケット部材２３に取り付けられる給電接片３５を照明灯１４の端子１４Ａに押し付けることができ、接触不良により、点灯不全や、温度が異常に上昇することによる端子１４Ａやソケット２２の焼損を未然に回避することができ、ソケット２２自体の信頼性が向上する。
【００６９】
また、照明灯側ソケット部材２４の収容部５６内に本体側ソケット部材２３の接続部２９を挿入し、更に照明灯側ソケット部材２４を上方に押し上げることで、収容部５６の外方に形成される係合爪４１、４１が、本体側ソケット部材２３の接続部２９の外方に形成される係合爪４０、４０と係合する。
【００７０】
これにより、安定して照明灯側ソケット部材２４を本体側ソケット部材２３に取り付けることができる。そのため、従来のようにクリップに照明灯を保持させる構成に比して、容易に照明灯１４を棚８下面に取り付けることが可能となり、取付作業の簡素化を図ることができるようになる。また、安定して照明灯側ソケット部材２４を本体側ソケット部材２３に係止させることで、照明灯１４の端子１４Ａを安定して本体側ソケット部材２３に収容される給電接片３５と接触させることができ、安定して、且つ、安全に照明を行うことができる。
【００７１】
また、この場合において、照明灯１４の端部は、照明灯側ソケット部材２４のカバー部５７にて囲繞されているため、照明灯１４の端子１４Ａ付近を保護することができる。更に、照明灯１４の端部は、本体側ソケット部材２３に取り付けられる照明灯側ソケット部材２４の照明灯保持部５８にて略きっちりと保持されているため、照明灯１４自体を安定して照明灯側ソケット部材２４に保持させることができる。また、照明灯１４の端子１４Ａと本体側ソケット部材２３内に取り付けられる給電接片３５との電気的接続部分に対し、照明灯１４の自重が負荷として影響し、接触不良を招く不都合を抑制することができるようになる。これによっても、照明灯１４の端子１４Ａと給電接片３５との電気的接続を確実なものとすることができる。
【００７２】
更にまた、照明灯１４の端子１４Ａも照明灯側ソケット部材２４のカバー部５７に形成される端子挿通孔６０の内縁に圧接されているため、当該端子１４Ａ自体も安定してカバー部５７に保持される。これによっても、照明灯１４の端子１４Ａと本体側ソケット部材２３内に取り付けられる給電接片３５との電気的接続部分に対し、照明灯１４の自重が負荷として影響し、接触不良を招く不都合を抑制することができ、照明灯１４の端子１４Ａと給電接片３５との電気的接続を確実なものとすることができる。
【００７３】
また、照明灯１４の周囲を囲繞する保温筒４３は、端部を照明灯側ソケット部材２４のカバー部５７の外周面に形成される保温筒保持部５９によって略きっちりと保持されるため、照明灯１４が収容される保温筒４３内に陳列室５内の冷気が侵入しがたくなり、照明灯１４が冷気にさらされ温度が低下することによる照度低下を抑制することができるようになる。また、保温筒４３の表面に付着した結露が保温筒４３内に浸入することも抑制され、照明灯側ソケット部材２４に装着される端子１４Ａ等に結露が進入しがたい構成とすることができ、安全に照明灯１４を使用することが可能となる。
【００７４】
また、保温筒４３が取り付けられない場合などにおいて、照明灯１４やソケット２２の表面に付着した結露が照明灯側ソケット部材２４内、特に端子１４Ａが収容される収容部５６内に浸入した場合であっても、収容部５６の下面には、水抜き孔６２が形成されているので、当該結露水が端子１４Ａに付着することなく、容易に水抜き孔６２から外部に円滑に排出することができるため、当該結露水によるショートを抑制することができ、安全に照明灯１４を使用することが可能となる。
【００７５】
他方、本体側ソケット部材２３と照明灯側ソケット部材２４との係合を離脱させる際に、本体側ソケット部材２３のコンデンサ収容部３０の前面に形成された傾斜面３０Ａと、照明灯側ソケット部材２４に形成された後側の係合爪４１との間に形成される手指挿入空間に人差し指や中指を挿入し、前側の係合爪４１に親指を宛う。そして、手指により、係合爪４１を内方に押圧することで、係合爪４１が内方に向けて変形し、係合爪４０との係合が離脱する。
【００７６】
このとき、手指挿入空間に挿入された人差し指や中指は、例えば第一関節が、傾斜面３０Ａと当接することによって、当該当接点を軸とした梃子の原理を応用することで、より少ない力によって係合爪４１を内側に押圧し、当該係合を離脱させることが可能となる。これにより、本体側ソケット部材２３と照明灯側ソケット部材２４との係合作業の煩わしさを解消することができ、照明灯１４の取付作業を簡素化することができるようになる。
【実施例２】
【００７７】
次に、図３１乃至図３７を参照して実施例２についてのショーケースの照明灯１４のソケット８０の構造について説明する。尚、ショーケース全体の構成については、上記実施例と同様であるため、説明を省略する。図３１はソケット８０が取り付けられた状態の棚８下面の斜視図、図３２はソケット８０の斜視図、図３３は本体側ソケット部材８１の斜視図、図３４は照明灯側ソケット部材８２の斜視図、図３５は図３２のソケット８０の部分透視側面図、図３６は図３２を左側からみた断面図、図３７は図３６に照明灯１４を取り付けた状態の断面図を示している。
【００７８】
実施例２におけるソケット８０は、端部に受電用の端子１４Ａを有する照明灯１４を係脱自在にショーケース１の本体側、本実施例では、棚８下面に固定するものである。ソケット８０は、本体側ソケット部材８１と、照明灯側ソケット部材８２とから構成される。
【００７９】
本体側ソケット部材８１は、内方に向けて開放する筐体８３と、当該筐体８３の開口を閉塞する蓋部材８４とから構成され、いずれも硬質合成樹脂にて成形されている。
【００８０】
筐体８３は、棚８下面に対し垂下して形成される接続部８６を有し、当該接続部８６には、内部を上下に区画する仕切壁８６Ａが形成されており、当該仕切壁８６Ａを隔てて、垂下した状態で二つの給電接片（給電部）８７、８７が収容される。これら給電接片８７の上端には、それぞれ給電線８８が接続されており、当該給電線８８は、筐体８３の上面に形成される給電線引出部８５より外部に引き出される。
【００８１】
尚、本実施例における本体側ソケット部材８１は、上記実施例のようにコンデンサを収容する収容部が設けられているものではないため、当該給電線８８は、別途ショーケース内に配設されるコンデンサに接続された後、電源に接続されるものとする。
【００８２】
給電接片８７は、弾性材料にて構成されており、図３５に示されるように接続部８６の中央に向けて湾曲し、両給電接片８７、８７が近接した後、外方に向けて折曲され給電接片８７、８７との間隔が拡開して形成される。尚、両給電接片８７、８７が近接する位置には、照明灯１４の端子１４Ａの外形に沿って形成される端子保持部８７Ａが形成されているものとする。そして、この接続部８６の下面には、仕切壁８６Ａを隔てた状態で照明灯１４の受電用の端子１４Ａを下端から挿入するための挿入部９０が形成されている。そのため、接続部８６の下端に形成される挿入部９０から挿入される端子１４Ａは、給電接片８７が取り付けられる接続部８６内に進入可能となる。
【００８３】
他方、この接続部８６の外方に位置する側面には、下部に係合爪（係合部）９１が形成される弾性を有する操作部９２が形成されている。この操作部９２は、上端が接続部８６と連続して形成されていると共に、当該上部から内方、即ち、照明灯１４側に向けて傾斜して形成される。そして、接続部８６の内方側に位置する側面下方に対応する位置の操作部９２には、内方に向けて突出した係合爪９１が形成される。この係合爪９１は、挿入部９０の内方側の側面に相当する位置に延在して形成されていると共に、当該係合爪９１の上面は、接続部８７に形成される仕切壁８６Ａの下端と所定の間隔を存しているものとする。そして、当該係合爪９１が形成される操作部９２の下端は、再び外方に向けて傾斜して形成される。これにより、係合爪９１を有する操作部９２は、接続部８６より外方、本実施例では下方に延在して形成される。
【００８４】
また、上述した如く接続部８６の挿入部９０から進入した照明灯１４の端子１４Ａが固定される位置に相当する操作部９２の中途部に、図３６及び３７に示されるように内方に向けて突出する端子保持部９３が形成される。
【００８５】
また、この接続部８６の外面の前後端部には、上下に渡って切り欠かれた照明灯側ソケット部材２４の摺動面９４が形成されている。
【００８６】
一方、蓋部材８４は、筐体８３の内面形状と略同様に形成されていると共に、当該蓋部材８４の上端には、内方に向けて延在する固定部９５が形成されている。当該固定部９５には、棚８下面にネジ止めにより固定するための係合孔９６が形成されている。
【００８７】
尚、上記筐体８３の開口は、当該筐体８３内に給電接片８７及び給電線８８が配設された状態で、蓋部材８４にて閉塞されており、これら筐体８３と蓋部材８４との接合面は、接着され、一体とされているものとする。また、当該筐体８３と蓋部材８４が一体とされた状態で、接続部８６の上部には、当該接続部８６の外周面と所定寸法の隙間を形成するフランジ９７が形成されているものとする。
【００８８】
一方、照明灯側ソケット部材８２は、上記本体側ソケット部材８１と同様に、硬質合成樹脂にて形成されており、照明灯１４の端部に装着される装着部１００と、当該装着部１００の外側に形成される収容部１０１とから構成される。
【００８９】
装着部１００は、照明灯１４の端部を囲繞する有底円筒状に形成されている。そして、この装着部１００を構成する円筒底面、即ち、該装着部１００の外端面には、照明灯１４端部に設けられる受電用の端子１４Ａ、１４Ａを挿通可能とする端子挿通孔１０２、１０２が形成されている。
【００９０】
他方、装着部１００の外側に形成される収容部１０１は、上面及び外方側の側面が連続して開口し、内部に本体側ソケット部材８１の接続部８６を挿脱自在に収容するための収容空間が形成されており、当該収容空間、即ち、収容部１０１内は、前記装着部１００の端子挿通孔１０２を介して挿通された照明灯１４の端子１４Ａが進入される。このとき、収容部１０１の上端１０１Ａの形状は、図３３に示すように本体側ソケット部材８１の接続部８６とフランジ９７との間に挿入可能な寸法に形成されているものとする。
【００９１】
また、この収容部１０１の外方側の端面、即ち、装着部１００が形成される側とは反対側の端面は、内方に向けて少許延出して形成されている。また、この収容部１０１の下面には、略コ字状に切り欠かれた操作部挿入口１０４が形成されており、当該操作部挿入口１０４の内方側の縁部は、操作部９２の係合爪９１を係止させるための端面１０５とされている。
【００９２】
次に、係る実施例におけるソケット８０の取付方法及び当該ソケット８０による照明灯１４の取付方法について説明する。先ず初めに、本体側ソケット部材８１の蓋部材８４に形成される固定部９５を棚８下面の端部に宛い、当該固定部９５に形成される係合孔９６を棚８下面に予め穿設された係合孔と重合し、図示しないネジにて固定する。これにより、ソケット８０を構成する本体側ソケット部材８１が棚８下面に固定される。
【００９３】
次に、照明灯１４の両端に照明灯側ソケット部材８２を装着する。このとき、照明灯１４の受電用の端子１４Ａは、装着部１００に形成される端子挿通孔１０２、１０２に挿通されると共に、当該端子１４Ａが装着部１００の外方に形成される収容部１０１内に臨んだ状態となる。
【００９４】
尚、当該装着部１００の内径は、照明灯１４の外形寸法よりも所定寸法だけ大きく形成されており、例えば、上記実施例において示した如き保温筒４３の端部を保持可能なものとしても良い。
【００９５】
照明灯１４の両端に照明灯側ソケット部材８２が装着された状態で、本体側ソケット部材８１の下方から当該本体側ソケット部材８２の接続部８６を照明灯側ソケット部材８２に形成される収容部１０１内に挿入する。このとき、収容部１０１の外方側の側端面が接続部８６に形成される摺動面９４に沿って摺動することで、容易に収容部１０１内に接続部８６を挿入することが可能となる。
【００９６】
このとき、収容部１０１内には、照明灯１４の受電用の端子１４Ａが臨んで取り付けられていることから、当該端子１４Ａは、接続部８６の下端に形成される挿入部９０から内方に進入し、当該接続部８６内部に収容される給電接片８７と接触し、当該給電接片８７の弾性力及び当該給電接片８７に形成される端子保持部８７Ａにて端子１４Ａが挟持される。これにより、端子１４Ａと給電接片８７は、電気的に接続される。
【００９７】
また、照明灯側ソケット部材８２の収容部１０１を本体側ソケット部材８１の取付面に向けて押し上げる過程において、当該収容部１０１の軌道上に操作部９２が突出して形成されているが、当該操作部９２の端部は、収容部１０１の下面に形成される操作部挿入口１０４から挿脱されると共に、該操作部９２は弾性材料にて構成されているため、内方側に位置する側面が操作部挿入口１０４の端面によって外方に押圧されるため、外方に向けて変形し、更に上方に押し上げられることで、操作部９２に形成される係合爪９１は、収容部１０１下端を乗り越え、押圧するものがなくなることで、当該操作部９２は、最初の状態、即ち、挿入部９０の内方側の側面に相当する位置にまで戻る。
【００９８】
この状態で、操作部９２に形成される係合爪９１は、収容部１０１下端に形成される端面１０５に係止される。このとき、収容部１０１の上端１０１Ａは、本体側ソケット部材８１に形成される接続部８６とフランジ９７との隙間に収容される。
【００９９】
これにより、安定して照明灯側ソケット部材８２を本体側ソケット部材８１に取り付けることができる。そのため、従来のようにクリップに照明灯を保持させる構成に比して、容易に照明灯１４を棚８下面に取り付けることが可能となり、取付作業の簡素化を図ることができるようになる。また、安定して照明灯側ソケット部材８２を本体側ソケット部材８１に係止させることで、照明灯１４の端子１４Ａを安定して本体側ソケット部材８１に収容される給電接片８７と接触させることができ、安定して、且つ、安全に照明を行うことができる。
【０１００】
また、この場合においても、照明灯１４の端部は、照明灯側ソケット部材８２の装着部１００にて囲繞されているため、照明灯１４の端子１４Ａ付近を保護することができる。更に、図３７に示すように照明灯１４の端子１４Ａは操作部９２が最初の状態に戻った状態で、端子保持部９４によって、保持されることから、照明灯１４の端子１４Ａと本体側ソケット部材８１内に取り付けられる給電接片８７との電気的接続部分に対し、照明灯１４の自重が負荷として影響し、接触不良を招く不都合を抑制することができ、照明灯１４の端子１４Ａと給電接片８７との電気的接続を確実なものとすることができる。また、この場合には、照明灯１４の端子１４Ａは、直接操作部９２に形成される端子保持部９４にて保持可能であるため、照明灯側ソケット部材８２を用いることなく、照明灯１４を本体側ソケット部材８１に取り付けることも可能である。
【０１０１】
他方、本体側ソケット部材８１と照明灯側ソケット部材８２との係合を離脱させる際に、ソケット８０の外方、即ち、下方に延在して形成される操作部９２を外方に向けて押圧することで、当該操作部９２に形成される係合爪９１と端面１０５との係合が離脱し、この状態で、照明灯側ソケット部材８２を引き下げることで、照明灯側ソケット部材８２を本体側ソケット部材８１から離脱させることが可能となる。
【０１０２】
特に、係る実施例における操作部９２は、本体側ソケット部材８１の下方に延在して形成されているため、操作性が良く、当該ソケット８０の本体側ソケット部材８１と照明灯側ソケット部材８２との係脱作業を容易に行うことができる。
【０１０３】
そのため、係る実施例におけるソケット８０は、棚８下面に取り付けられる場合のみならず、陳列室５の天井面、若しくは、キャノピー１５に取り付けられる場合において、容易に操作部９２を認識することができると共に、操作することができるため、特に、その効果を発揮することができる。
【０１０４】
更にまた、操作部９２は、本体側ソケット部材８１の下方に延在して形成されていることから、結露がソケット８０に付着した場合であっても、当該操作部９２を介してソケット８０に誘導することができ、また、操作部挿入口１０４から内部に溜まった結露水を外部に排出することができるため、照明灯１４の端子１４Ａや給電接片８７に水滴が付着し、ショートなどが発生する不都合を未然に抑制することができるようになる。
【実施例３】
【０１０５】
次に、図３８乃至図４２を参照して実施例３についてのショーケースの照明灯１４のソケット１１０の構造について説明する。尚、ショーケース全体の構成については、上記実施例と同様であるため、説明を省略する。図３８はソケット１１０が取り付けられた状態の棚８下面の斜視図、図３９は本体側ソケット部材１１１の内部透視側面図、図４０は本体側ソケット部材１１１を下方からみた平面図、図４１は照明灯側ソケット部材１１２の外方からみた側面図、図４２はソケット１１０の部分透視側面図を示している。
【０１０６】
実施例３におけるソケット１１０は、端部に受電用の端子１４Ａを有する照明灯１４を係脱自在にショーケース１の本体側、本実施例では、棚８下面に固定するものである。ソケット１１０は、本体側ソケット部材１１１と、照明灯側ソケット部材１１２とから構成される。尚、係る実施例３における照明灯側ソケット部材１１２は、押圧部６１が形成されていないという点、又、端子挿通孔６０は、丸孔又は長孔のいずれの形状であっても良いという点を除き、上記実施例１における照明灯側ソケット部材２４と略同一の構成とされているものとする。
【０１０７】
本体側ソケット部材１１１は、内方に向けて開放する筐体１１３と、当該筐体１１３の開口を閉塞する蓋部材１１４とから構成され、いずれも硬質合成樹脂にて成形されている。筐体１１３は、棚８下面に対し垂下して形成される接続部１１６を有し、当該接続部１１６には、内部を上下に区画する仕切壁１１６Ａが形成されており、当該仕切壁１１６Ａを隔てて、垂下した状態で二つの給電接片（給電部）１１７、１１７が収容される。尚、当該給電接片１１７は、上記実施例２に示される給電接片８７と略同様に構成されるものであるため、説明を省略する。これら給電接片１１７の上端には、それぞれ給電線１１８が接続されており、当該給電線１１８は、筐体１１３の上面より外部に引き出される。
【０１０８】
尚、本実施例における本体側ソケット部材１１１は、上記実施例１のようにコンデンサを収容する収容部が設けられているものではないため、当該給電線１１８は、別途ショーケース内に配設されるコンデンサに接続された後、電源に接続されるものとする。
【０１０９】
そして、この接続部１１６の下面には、仕切壁１１６Ａを隔てた状態で照明灯１４の受電用の端子１４Ａを下端から挿入するための挿入部１２０が形成されている。そのため、接続部１１６の下端に形成される挿入部１２０から挿入される端子１４Ａは、給電接片１１７が取り付けられる接続部１１６内に進入可能となる。
【０１１０】
また、この接続部１１６の前後（図４０及び図４２では左右に図示される）には、垂下した後、下端が内方に向けて突出する係合爪（係合部）１２１、１２１が筐体１１３と一体に形成されている。この係合爪１２１、１２１は、照明灯側ソケット部材１１２に形成される係合爪４１、４１と係脱可能に挿入するため、当該係合爪１２１と接続部１１６との間には、所定の空間が形成されているものとする。
【０１１１】
他方、蓋部材１１４は、筐体１１３の接続部１１６の開口と外形が略同様に形成されていると共に、当該接続部１１６の上部には、照明灯側ソケット部材１１２の上端と当接するフランジ１２４が形成されている。更に、蓋部材１１４の上端は、棚８取付面に対し水平に固定部１２２が形成されており、当該固定部１２２には、棚８下面に当接して、予め穿設されるネジ孔と螺合するためのネジ孔１２３が形成されている。
【０１１２】
上記筐体１１３の開口は、内部に給電接片１１７及び給電線１１８が配設された状態で、蓋部材１１４にて閉塞されており、これら筐体１１３と蓋部材１１４との接合面は、接着され、一体とされているものとする。また、当該筐体１１３と蓋部材１１４が一体とされた状態で、接続部１１６の上部には、当該接続部１１６の外周面と所定寸法の隙間を形成するフランジ１２４が形成されているものとする。そして、このフランジ１２４と接続部１１６の外周面との隙間には、防水機構を構成する防水ゴム１２５が設けられている。
【０１１３】
以上の構成により、係る実施例におけるソケット１１０による照明灯１４の取付方法について説明する。先ず初めに、本体側ソケット部材１１１の蓋部材１１４に形成される固定部１２２を棚８下面の端部に宛い、当該固定部１２２に形成される係合孔１２３を棚８下面に予め穿設された係合孔と重合し、図示しないネジにて固定する。これにより、ソケット１１０を構成する本体側ソケット部材１１１が棚８下面に固定される。
【０１１４】
次に、照明灯１４の両端に照明灯側ソケット部材１１２を装着する。このとき、照明灯１４の受電用の端子１４Ａは、カバー部５７に形成される端子挿通孔６０、６０に挿通されると共に、当該端子１４Ａがカバー部５７の外方に形成される収容部５６内に臨んだ状態となる。
【０１１５】
照明灯１４の両端に照明灯側ソケット部材１１２が装着された状態で、各照明灯側ソケット部材１１２を本体側ソケット部材１１１に取り付ける。即ち、本体側ソケット部材１１１の接続部１１６を照明灯側ソケット部材１１２の収容部５６の内部に挿入する。このとき、収容部５６内には、照明灯１４の受電用の端子１４Ａが臨んで取り付けられていることから、上記実施例１と同様に、当該端子１４Ａは、接続部１１６の下端に形成される挿入部１２０から内方に進入し、当該接続部１１６内部に収容される給電接片１１７と接触し、当該給電接片１１７の弾性力及び当該給電接片１１７に形成される端子保持部１１７Ａにて端子１４Ａが挟持される。これにより、端子１４Ａと給電接片１１７は、電気的に接続される。
【０１１６】
また、照明灯側ソケット部材１１２の収容部５６内に本体側ソケット部材１１１の接続部１１６を挿入し、更に照明灯側ソケット部材１１２を上方に押し上げることで、収容部５６の外方に形成される係合爪４１、４１が、本体側ソケット部材１１１の接続部１１６の外方に形成される係合爪１２１、１２１と係合する。
【０１１７】
これにより、安定して照明灯側ソケット部材１１２を本体側ソケット部材１１１に取り付けることができる。そのため、従来のようにクリップに照明灯を保持させる構成に比して、容易に照明灯１４を棚８下面に取り付けることが可能となり、取付作業の簡素化を図ることができるようになる。また、安定して照明灯側ソケット部材１１２を本体側ソケット部材１１１に係止させることで、照明灯１４の端子１４Ａを安定して本体側ソケット部材１１１に収容される給電接片１１７と接触させることができ、安定して、且つ、安全に照明を行うことができる。
【０１１８】
また、このとき、本体側ソケット部材１１１には、接続部１１６の外周面と所定間隔を存してフランジ１２４が形成されているため、照明灯側ソケット部材１１２の収容部５６の上端は、係る接続部１１６とフランジ１２４との間に形成される隙間に収容される。この場合において、当該フランジ１２４と接続部１１６との間には防水ゴム１２５が設けられているため、当該防水ゴム１２５により、係る照明灯側ソケット部材１１２の収容部５６と本体側ソケット部材１１１との接触面は、水密的に外部を隔離することが可能となる。
【０１１９】
これにより、特に、本実施例のように陳列室５内が所定の温度に冷却される場合において、防水ゴム１２５によって仕切られるため、ソケット１１０の表面に付着し、照明灯側ソケット部材１１２内に浸入した結露により、給電接片１１７と照明灯１４の端子１４Ａに付着しショートが発生することを抑制することができる。そのため、照明灯１４やソケット１１０に結露水が付着する場合であっても、安全に照明灯１４を使用することが可能となる。
【０１２０】
尚、本体側ソケット部材１１１と照明灯側ソケット部材１１２との係合を離脱させる際には、照明灯側ソケット部材１１２に形成される前後の係合爪４１、４１を手指にて挟持し、係合爪４１を内方に押圧することで、係合爪４１が内方に向けて変形し、係合爪１２１との係合が離脱する。
【０１２１】
尚、上記実施例１及び実施例３では、本体側ソケット部材２３又は１１１と照明灯側ソケット部材２４又は１１２との係合は、いずれも本体側ソケット部材２３（又は１１１）に形成される係合爪４０（又は１２１）と、照明灯側ソケット部材２４（又は１１２）に形成される係合爪４１とを係合させることで行われる。このとき、係合爪４０（又は１２１）は、下端が接続部２９（又は１１６）側に突出して形成されると共に、係合爪４１は、上端が外方側に突出して形成されている。しかしながら、当該本体側ソケット部材と照明灯側ソケット部材との係合は、これに限定されるものではない。以下、図４３乃至図４５又は図４６乃至図４８を参照して他の実施例について説明する。
【０１２２】
図４３は、一つ目の他の実施例としてのソケット１３０を構成する本体側ソケット部材１３１の内部透視断面図、図４４は図４３の本体側ソケット部材１３１に取り付けられる照明灯側ソケット部材１３２の外方側からみた側面図、図４５はソケット１３０の部分透視断面図を示している。尚、係合部についての構成及び、防水機構が設けられていない点以外は、実施例３におけるソケット１１０と略同様の構成であるため、説明を省略する。
【０１２３】
この実施例における本体側ソケット部材１３１に形成される係合爪（係合部）１３３は、接続部１１６の前後（図４３では左右に図示される）に位置して、垂下した後、下端が上方に向けて折り返されて形成されると共に、当該上端が外方に突出して、接続部１１６と一体に形成されている。この係合爪１３３も、上記各実施例と同様に弾性材料にて構成されており、当該折り返された部分を押圧することで、変形可能とされている。
【０１２４】
他方、照明灯側ソケット部材１３２に形成される係合部１３４は、収容部５６の前後面（図４４では左右に図示される）に位置して、外方に向けて突出して形成されると共に、当該係合部１３４は、上下に貫通する連通孔が形成される。
【０１２５】
係る構成により、照明灯側ソケット部材１３２の収容部５６内に本体側ソケット部材１３１の接続部１１６を挿入し、更に照明灯側ソケット部材１３２を上方に押し上げることで、収容部５６の外面に形成される各係合部１３４、１３４内に本体側ソケット部材１３１に形成される係合爪１３３の下端が挿入される。このとき、係合爪１３３は、上方に折り返し形状とされる弾性材料にて構成されるため、下端より照明灯側ソケット部材１３２内に進入した係合爪１３３は、上部が進入するに従い、係合部１３４の内部において、外方に向けて拡開する付勢力が働き、これによって、係合爪１３３が係合部１３４に確実に係合されることとなる。
【０１２６】
これにより、安定して照明灯側ソケット部材１３２を本体側ソケット部材１３１に取り付けることができる。そのため、照明灯１４の端子１４Ａを安定して本体側ソケット部材１３１内に収容される給電接片１１７と接触させることができ、安定して、且つ、安全に照明を行うことができる。
【０１２７】
図４６は、二つ目の他の実施例としてのソケット１４０を構成する本体側ソケット部材１４１の内部透視断面図、図４７は図４６の本体側ソケット部材１４１に取り付けられる照明灯側ソケット部材１４２の外方側からみた側面図、図４８はソケット１４０の部分透視断面図を示している。尚、係合部についての構成及び、防水機構が設けられていない点以外は、実施例３におけるソケット１１０と略同様の構成であるため、説明を省略する。
【０１２８】
この実施例における本体側ソケット部材１４１に形成される係合爪（係合部）１４３は、接続部１１６の前後（図４６では左右に図示される）に位置して、垂下した後、下端が外方、即ち、前側に位置する係合爪１４３は前方に、後側に位置する係合爪１４３は後方に向けて突出して、接続部１１６と一体に形成されている。この係合爪１４３も、上記各実施例と同様に弾性材料にて構成されている。
【０１２９】
他方、照明灯側ソケット部材１４２に形成される係合部は、収容部５６の前後面（図４７では左右に図示される）から所定寸法だけ外方、即ち、それぞれ前後方向に延在した後、略直角に起立して形成される係合片（係合部）１４４、１４４が収容部５６と一体に形成される。この係合片１４４は、当該係合片１４４が収容部５６との連結部を中心として内方に押圧可能とする弾性材料にて構成されていると共に、上端が内方、収容部５６側に向けて突出して形成されている。また、この係合片１４４と収容部５６との間には、上記本体側ソケット部材１４１の係合爪１４３を挿入可能とするための所定の隙間が形成されているものとする。
【０１３０】
係る構成により、照明灯側ソケット部材１４２の収容部５６内に本体側ソケット部材１４１の接続部１１６を挿入し、更に照明灯側ソケット部材１４２を上方に押し上げる。これにより、係合片１４４の上端に当接する係合爪１４３により、係合片１４４の上端が外方に向けて変形されることから、収容部５６の外面に形成される各係合爪１４３は収容部５６と係合片１４４との間に収容され、これにより、係合片１４４の内方に向けて突出する上端と、係合爪１４３の外方に向けて突出する下端とが結合され、係合片１４４の内方に向かう付勢力により、係合片１４４と係合爪１４３とが確実に係合されることとなる。
【０１３１】
これにより、安定して照明灯側ソケット部材１４２を本体側ソケット部材１４１に取り付けることができる。そのため、照明灯１４の端子１４Ａを安定して本体側ソケット部材１４１内に収容される給電接片１１７と接触させることができ、安定して、且つ、安全に照明を行うことができる。
【実施例４】
【０１３２】
次に、図４９乃至図５６を参照して実施例４についてのショーケースの照明灯１４のソケット１５０の構造について説明する。尚、ショーケース全体の構成については、上記実施例と同様であるため、説明を省略する。図４９はソケット１５０を構成する本体側ソケット部材１５０の縦断側面図、図５０は図４９を下方からみた平面図、図５１は本体側ソケット部材１５１の正面図、図５２は照明灯側ソケット部材１５２を外方からみた内部透視側面図、図５３は図５２を左からみた正面図、図５４は図５３の断面図、図５５は図５２を下方からみた平面図、図５６はソケット１５０の断面図を示している。
【０１３３】
実施例４におけるソケット１５０は、端部に受電用の端子１４Ａを有する照明灯１４を係脱自在にショーケース１の本体側、本実施例では、棚８下面に固定するものである。ソケット１５０は、本体側ソケット部材１５１と、照明灯側ソケット部材１５２とから構成される。
【０１３４】
本体側ソケット部材１５１は、内方に向けて開放する筐体１５３と、当該筐体１５３の開口を閉塞する蓋部材１５４とから構成され、いずれも硬質合成樹脂にて成形されている。筐体１５３は、下方に開口を有する接続部１５６を有し、当該接続部１５６には、内部に二つの給電接片（給電部）１５７、１５７と、当該給電接片１５７、１５７の下端には、それぞれ給電側端子１５８、１５８が電気的に接続されている。この給電側端子１５８、１５８は、照明灯側ソケット部材１５２に設けられる受電側端子（導電部材）を内部に挿入し、電気的に接続されるものであり、接続部１５６に形成された下面開口に臨んでいる。
【０１３５】
尚、この接続部１５６の開口縁には、下方に延出するフランジ１５６Ａが形成されており、当該フランジ１５６Ａにて給電側端子１５８、１５８の周囲が囲繞される。また、この接続部１５６内には、給電接片１５７が設けられる接続部１５６の内側と、外部とを水密的に隔離する防水機能を有する防水ゴム１６３が設けられている。他方、給電接片１５７、１５７の上端には、それぞれ給電線１５９、１５９が接続されており、当該給電線１５９は、筐体１５３の上面より外部に引き出される。
【０１３６】
尚、本実施例における本体側ソケット部材１５１は、上記実施例１のようにコンデンサを収容する収容部が設けられているものではないため、当該給電線１５９は、別途ショーケース内に配設されるコンデンサに接続された後、電源に接続されるものとする。
【０１３７】
そして、この接続部１５６の前後（図４９及び図５０では左右に図示される）には、垂下した後、下端が内方に向けて突出する係合爪（係合部）１６０、１６０が筐体１５３と一体に形成されている。この係合爪１６０、１６０は、照明灯側ソケット部材１５２に形成される係合爪１６１、１６１と係脱可能に挿入するため、当該係合爪１６０と接続部１５６との間には、所定の空間が形成されているものとする。
【０１３８】
他方、蓋部材１５４は、筐体１５３の接続部１５６の開口と外形が略同様に形成されていると共に、蓋部材１５４の上端は、棚８取付面に対し水平に固定部１５５が形成されており、当該固定部１５５には、棚８下面に当接して、予め穿設されるネジ孔と螺合するためのネジ孔１５５Ａが形成されている。
【０１３９】
上記筐体１５４の開口は、当該筐体１５３内に給電接片１５７、給電側端子１５８及び給電線１５９が配設された状態で、蓋部材１５４にて閉塞されており、これら筐体１５３と蓋部材１５４との接合面は、接着され、一体とされているものとする。
【０１４０】
他方、照明灯側ソケット部材１５２は、上記本体側ソケット部材１５１と同様に、硬質合成樹脂にて形成されており、照明灯１４の端部に装着される装着部１６４と、当該装着部１６４の外側に形成される接続部１６６とから構成される。
【０１４１】
装着部１６４は、照明灯１４の端部を囲繞する有底円筒状のカバー部１６５から構成されている。カバー部１６５を構成する円筒底面、即ち、カバー部１６５の外端面には、照明灯１４端部に設けられる受電用の端子１４Ａ、１４Ａを挿通可能とする端子挿通孔１６７、１６７が形成されている。
【０１４２】
他方、装着部１６４の外側に形成される接続部１６６は、当該接続部１６６の上面より上方に突出すると共に、下部が、前記端子挿通孔１６７から挿入された照明灯１４の端子１４Ａと電気的に接続可能に設けられる受電側端子１６８が設けられている。
【０１４３】
接続部１６６の前後（図５２では左右に図示される）には、接続部１６６の下面から所定寸法だけ外方、即ち、それぞれ前後方向に延在した後、略直角に起立した状態とされる係合爪１６１、１６１が接続部１６６と一体に形成される。この係合爪１６１、１６１は、それぞれ下端を中心として内方に押圧可能とする弾性材料にて構成されていると共に、上端が外方、即ち、前側に形成される係合爪１６１は、前方に向けて、後側に形成される係合爪１６１は、後方に向けて突出して形成されている。この係合爪１６１、１６１は、それぞれ上述した如き本体側ソケット部材１５１に形成される係合爪１６０、１６０と係脱可能とされている。
【０１４４】
以上の構成により、係る実施例におけるソケット１５０による照明灯１４の取付方法について説明する。先ず初めに、本体側ソケット部材１５１の蓋部材１５４に形成される固定部１５５を棚８下面の端部に宛い、当該固定部１５５に形成される係合孔１５５Ａを棚８下面に予め穿設された係合孔と重合し、図示しないネジにて固定する。これにより、ソケット１５０を構成する本体側ソケット部材１５１が棚８下面に固定される。
【０１４５】
次に、照明灯１４の両端に照明灯側ソケット部材１５２を装着する。このとき、照明灯１４の受電用の端子１４Ａは、カバー部１６５に形成される端子挿通孔１６７、１６７に挿通されると共に、当該端子１４Ａが接続部１６６内部に収容される受電側端子１６８、１６８と電気的に接続される。
【０１４６】
照明灯１４の両端に照明灯側ソケット部材１５２が装着された状態で、各照明灯側ソケット部材１５２を本体側ソケット部材１５１に取り付ける。即ち、本体側ソケット部材１５１の接続部１５６を照明灯側ソケット部材１５２の接続部１６６と接続する。このとき、接続部１６６の上面には、照明灯１４の受電用の端子１４Ａと電気的に接続された受電側端子１６８、１６８が突出して取り付けられていることから、これら受電側端子１６８が接続部１５６に設けられる給電側端子１５８、１５８内に嵌合されることで、これら端子は電気的に接続される。また、この給電側端子１５８は、一端が電源に接続される給電線１５９に電気的に接続されているため、照明灯１４の端子１４Ａも電源に電気的に接続されることとなる。
【０１４７】
また、照明灯側ソケット部材１５２の接続部１６６と本体側ソケット部材１５１の接続部１５６を接続し、更に照明灯側ソケット部材１５２を上方に押し上げることで、接続部１６６の外方に形成される係合爪１６１、１６１が、本体側ソケット部材１５１のフランジ１５６Ａの外方に形成される係合爪１６０、１６０と係合する。
【０１４８】
これにより、安定して照明灯側ソケット部材１５２を本体側ソケット部材１５１に取り付けることができる。そのため、従来のようにクリップに照明灯を保持させる構成に比して、容易に照明灯１４を棚８下面に取り付けることが可能となり、取付作業の簡素化を図ることができるようになる。また、安定して照明灯側ソケット部材１５２を本体側ソケット部材１５１に係止させることで、照明灯１４の端子１４Ａを受電側端子１６８や給電側端子１５８等の導電部材を介して安定して本体側ソケット部材１５１に収容される給電接片１５７と電気的に接続することが可能となり、安定して、且つ、安全に照明を行うことができる。
【０１４９】
また、このとき、本体側ソケット部材１５１には、接続部１５６内に防水ゴム１６３が設けられているため、当該防水ゴム１６３により、係る照明灯側ソケット部材１５２の受電側端子１６８と本体側ソケット部材１５１の給電側端子１５８とは、水密的に外部を隔離することが可能となる。
【０１５０】
これにより、特に、本実施例のように陳列室５内が所定の温度に冷却される場合において、防水ゴム１６３によって仕切られるため、ソケット１５０の表面に付着した結露が、各端子１５８、１６８に付着しショートが発生することを抑制することができる。そのため、照明灯１４やソケット１５０に結露水が付着する場合であっても、安全に照明灯１４を使用することが可能となる。
【０１５１】
尚、本体側ソケット部材１５１と照明灯側ソケット部材１５２との係合を離脱させる際には、照明灯側ソケット部材１５２に形成される前後の係合爪１６１、１６１を手指にて挟持し、係合爪１６１を内方に押圧することで、係合爪１６１が内方に向けて変形し、係合爪１６０との係合が離脱することができる。
【図面の簡単な説明】
【０１５２】
【図１】低温ショーケースの斜視図である。
【図２】図１の低温ショーケースの概略縦断側面図である。
【図３】ソケット及び照明灯が取り付けられた状態の棚の下面斜視図である（実施例１）。
【図４】棚下面の部分斜視図である（実施例１）。
【図５】陳列室の一側に取り付けられるソケットの側面図である（実施例１）。
【図６】図５のソケットの部分透視断面図である（実施例１）。
【図７】本体側ソケット部材の斜視図である（実施例１）。
【図８】本体側ソケット部材の側面図である（実施例１）。
【図９】本体側ソケット部材の筐体の側面図である（実施例１）。
【図１０】本体側ソケット部材の蓋部材の側面図である（実施例１）。
【図１１】図８を下側からみた平面図である（実施例１）。
【図１２】本体側ソケット部材の正面図である（実施例１）。
【図１３】図１１に給電線を取り付けた状態を示した図である（実施例１）。
【図１４】照明灯側ソケット部材の斜視図である（実施例１）。
【図１５】照明灯側ソケット部材の側面図である（実施例１）。
【図１６】図１５を右からみた図である（実施例１）。
【図１７】図１５を裏側からみた図である（実施例１）。
【図１８】図１５を下から見た図である（実施例１）。
【図１９】カバー部の拡大断面図である（実施例１）。
【図２０】ソケットに給電線及び照明灯を取り付ける状態を説明する概略図である（実施例１）。
【図２１】図２０の電気配線図である（実施例１）。
【図２２】ソケットが棚下面に取り付けられる状態を下方から見た一部切欠斜視図である（実施例１）。
【図２３】ソケットが棚下面に取り付けられた状態を示す下方から見た拡大斜視図である（実施例１）。
【図２４】図２３の部分縦断側面図である。
【図２５】ソケットが棚端部に取り付けられた状態を示す下方から見た拡大斜視図である。
【図２６】他の実施例としての照明灯保持部を示す照明灯側ソケット部材の側面図である。
【図２７】図２６の断面図である。
【図２８】図２６の断面図である。
【図２９】他の実施例としての保温筒保持部を示す分解図である。
【図３０】他の実施例としての端子挿通孔を示す側面図である。
【図３１】ソケットが取り付けられた状態の棚下面の斜視図である（実施例２）。
【図３２】ソケットの斜視図である（実施例２）。
【図３３】本体側ソケット部材の斜視図である（実施例２）。
【図３４】照明灯側ソケット部材の斜視図である（実施例２）。
【図３５】図３２のソケットの部分透視側面図である（実施例２）。
【図３６】図３２を左側からみた断面図である（実施例２）。
【図３７】図３６に照明灯を取り付けた状態の断面図である（実施例２）。
【図３８】ソケットが取り付けられた状態の棚下面の斜視図である（実施例３）。
【図３９】本体側ソケット部材の内部透視側面図である（実施例３）。
【図４０】本体側ソケット部材を下方からみた平面図である（実施例３）
【図４１】照明灯側ソケット部材の外方からみた側面図である（実施例３）。
【図４２】ソケットの部分透視側面図である（実施例３）。
【図４３】他の実施例としてのソケットを構成する本体側ソケット部材の内部透視断面図である。
【図４４】図４３の本体側ソケット部材に取り付けられる照明灯側ソケット部材の外方側からみた側面図である。
【図４５】ソケットの部分透視断面図である。
【図４６】他の実施例としてのソケットを構成する本体側ソケット部材の内部透視断面図、図４である。
【図４７】図４６の本体側ソケット部材に取り付けられる照明灯側ソケット部材の外方側からみた側面図である。
【図４８】ソケットの部分透視断面図である。
【図４９】本体側ソケット部材の縦断側面図である（実施例４）。
【図５０】図４９を下方からみた平面図である（実施例４）。
【図５１】本体側ソケット部材の正面図である（実施例４）。
【図５２】照明灯側ソケット部材を外方からみた内部透視側面図である（実施例４）。
【図５３】図５２を左からみた正面図である（実施例４）。
【図５４】図５３の断面図である（実施例４）。
【図５５】図５２を下方からみた平面図である（実施例４）。
【図５６】ソケットの断面図である（実施例４）。
【図５７】従来のソケットに給電線及び照明灯を取り付ける状態を説明する概略図である。
【図５８】図５７の電気配線図である。
【符号の説明】
【０１５３】
１    ショーケース
５    陳列室
８    棚
１４  照明灯（棚下用）
１４Ａ  端子（受電用）
１６  照明灯（天井用）
２２、８０、１１０、１３０、１４０、１５０  ソケット
２３、８１、１１１、１３１、１４１、１５１  本体側ソケット部材
２４、８２、１１２、１３２、１４２、１５２  照明灯側ソケット部材
２５、８３、１１３、１５３  筐体
２６、８４、１１４、１５４  蓋部材
２８  本体側取付面
２９、８６、１１６、１５６、１６６  接続部
２９Ａ、１１６Ａ  仕切壁
２９Ｂ  切欠
３０  コンデンサ収容部
３１  取付面係合部
３２  補強板
３２Ａ  前壁
３３  保持突起
３３Ａ  切込
３４  コンデンサ
３５、８７、１１７、１５７  給電接片
３６、１１８、１５９  給電線
３７  電源
３９、１２０  挿入部
４０、４１、１２１、１３３、１４３、１６０、１６１  係合爪
４２  切欠
４３  保温筒
４５  蓋側コンデンサ収容部
４６、９５、１２２、１５５  固定部
４７、５２、１５５Ａ  ネジ孔
４８  アース用端子固定部
５０  取付片
５１、９６、１２３  係合孔
５５、１００、１６４  装着部
５６、１０１  収容部
５７、１６５  カバー部  ５８、６３  照明灯保持部
５９  保温筒保持部
６０、７２、１０２、１６７  端子挿通孔
６１  押圧部
６２  水抜き孔
６７  端部取付片
６９  アース用端子
８７Ａ  端子保持部
８８  給電線
９０  挿入部
９１  係合爪（係合部）
９２  操作部
９３  端子保持部
１０３  保持片
１０４  操作部挿入口
１０５  端面
１２５、１６３  防水ゴム
１３４  係合部
１４４  係合片
１５８  給電側端子
１６８  受電側端子
【図１】
2011172936.tif 000003
【図２】
2011172936.tif 000004
【図３】
2011172936.tif 000005
【図４】
2011172936.tif 000006
【図５】
2011172936.tif 000007
【図６】
2011172936.tif 000008
【図７】
2011172936.tif 000009
【図８】
2011172936.tif 000010
【図９】
2011172936.tif 000011
【図１０】
2011172936.tif 000012
【図１１】
2011172936.tif 000013
【図１２】
2011172936.tif 000014
【図１３】
2011172936.tif 000015
【図１４】
2011172936.tif 000016
【図１５】
2011172936.tif 000017
【図１６】
2011172936.tif 000018
【図１７】
2011172936.tif 000019
【図１８】
2011172936.tif 000020
【図１９】
2011172936.tif 000021
【図２０】
2011172936.tif 000022
【図２１】
2011172936.tif 000023
【図２２】
2011172936.tif 000024
【図２３】
2011172936.tif 000025
【図２４】
2011172936.tif 000026
【図２５】
2011172936.tif 000027
【図２６】
2011172936.tif 000028
【図２７】
2011172936.tif 000029
【図２８】
2011172936.tif 000030
【図２９】
2011172936.tif 000031
【図３０】
2011172936.tif 000032
【図３１】
2011172936.tif 000033
【図３２】
2011172936.tif 000034
【図３３】
2011172936.tif 000035
【図３４】
2011172936.tif 000036
【図３５】
2011172936.tif 000037
【図３６】
2011172936.tif 000038
【図３７】
2011172936.tif 000039
【図３８】
2011172936.tif 000040
【図３９】
2011172936.tif 000041
【図４０】
2011172936.tif 000042
【図４１】
2011172936.tif 000043
【図４２】
2011172936.tif 000044
【図４３】
2011172936.tif 000045
【図４４】
2011172936.tif 000046
【図４５】
2011172936.tif 000047
【図４６】
2011172936.tif 000048
【図４７】
2011172936.tif 000049
【図４８】
2011172936.tif 000050
【図４９】
2011172936.tif 000051
【図５０】
2011172936.tif 000052
【図５１】
2011172936.tif 000053
【図５２】
2011172936.tif 000054
【図５３】
2011172936.tif 000055
【図５４】
2011172936.tif 000056
【図５５】
2011172936.tif 000057
【図５６】
2011172936.tif 000058
【図５７】
2011172936.tif 000059
【図５８】
2011172936.tif 000060